(57)【要約】【課題】構造が簡単で取り付けが容易なうえ安価なブレーカの押しボタン構造を提供する。【解決手段】  押しボタン頭部１１の端部に先端に押圧部１２ａを形成した脚部１２を垂設したうえ該脚部１２から内側に板状の弾性部材１３を張設した押しボタン本体１と、該押しボタン本体１を摺動自在に嵌合する保持体に設けた案内孔部２とよりなり、前記案内孔部２の下方に弾性部材１３の先端１３ａを支持する受段部２１を設ける。【選択図】  図１
2006236606.tif 000002
【特許請求の範囲】
【請求項１】
押しボタン頭部の端部に先端に押圧部を形成した脚部を垂設したうえ該脚部から内側に板状の弾性部材を張設した押しボタン本体と、該押しボタン本体を摺動自在に嵌合する保持体に設けた案内孔部とよりなり、前記案内孔部の下方に弾性部材の先端を支持する受段部を設けたことを特徴とするブレーカの押しボタン構造。
【請求項２】
押しボタン頭部の対向する一対の端部にそれぞれ脚部を垂設して、両脚部に板状の弾性部材を向き合う横方向に互い違いに張設して、案内孔部の下方に両弾性部材の先端を支持する受段部を設けた請求項１に記載のブレーカの押しボタン構造。
【発明の詳細な説明】
【技術分野】
【０００１】
本発明は、ブレーカのトリップボタンや漏電テストボタン等に使用されるブレーカの押しボタン構造に関するものである。
【背景技術】
【０００２】
例えば、ブレーカを手動操作によりトリップさせるためのトリップボタンに使用する押しボタン構造としては、トリップボタンを押圧状態から自動復帰させるためのバネを別体として組込んだものを普通としている（特許文献１）。しかし、これはバネを組み込むための取り付けが面倒であるという問題がある。
【０００３】
また、前記ような問題を解決するものとして、トリップボタンに復帰バネを一体に設けた熱可塑性合成樹脂製のものが特開２００４−１７９０９６（特許文献２）として知られている。ところが、これは復帰バネを上下に蛇腹状に複数段に折り曲げて形成して押圧部の側方上部のバネ受部に一体としたものである。そのため、復帰バネが複数段に折り曲げて形成しているため大型なものとなり、また、これを成型するための金型も複雑なものとなり製造コストが高くなる問題がある。
【特許文献１】特開平５−５４７８４号公報
【特許文献２】特開２００４−１７９０９６号公報
【発明の開示】
【発明が解決しようとする課題】
【０００４】
本発明は、上記の問題点を解決するためになされたものであり、構造が簡単で取り付けが容易なうえ安価なブレーカの押しボタン構造を提供する。
【課題を解決するための手段】
【０００５】
本発明のブレーカの押しボタン構造は、押しボタン頭部の端部に先端に押圧部を形成した脚部を垂設したうえ該脚部から内側に板状の弾性部材を張設した押しボタン本体と、該押しボタン本体を摺動自在に嵌合する保持体に設けた案内孔部とよりなり、前記案内孔部の下方に弾性部材の先端を支持する受段部を設けたことを特徴とするものを請求項１に記載の発明とする。
【０００６】
また、この請求項１に記載の発明において、押しボタン頭部の対向する一対の端部にそれぞれ脚部を垂設して、両脚部に板状の弾性部材を向き合う横方向に互い違いに張設して、案内孔部の下方に両弾性部材の先端を支持する受段部を設けたものを請求項２に記載の発明とする。
【発明の効果】
【０００７】
本発明のブレーカの押しボタン構造は、押しボタン本体を保持体であるブレーカのケースに設けた案内孔部の上部から差し込むことにより、該押しボタン本体は押しボタン頭部の端部に垂設した脚部から内側に張設した板状の弾性部材の先端を筒部内面に設けた受段部に支持されて押圧待機位置を維持するように該案内孔部に簡単に取り付けできるものである。このように案内孔部に取り付けた押しボタン本体は、押しボタン頭部をもって押圧すれば、先端を受段部に支持された弾性部材が該基端を起点に上方に撓んで上方に付勢するのに抗して押し下げられることとなり、押圧部が被操作部に作用して、被操作部が所定の動作を行うものである。その後、押しボタン頭部の押圧を解除すれば弾性部材が旧状に復帰してそれに伴ない押しボタン本体も押圧前の押圧待機位置に復帰するものである。
【０００８】
前記押しボタン本体は押しボタン頭部の端部に先端に押圧部を形成した脚部を垂設したうえ該脚部から内側に板状の弾性部材を張設したという構造が簡単なものであるから、これを成型するための金型も簡単なものとなり製造コストを安くすることができる。また、弾性部材は脚部の内側に張設したものであるから押しボタン本体を小型化することができる。
【０００９】
また、請求項２に記載の発明のように、押しボタン頭部の対向する一対の端部にそれぞれ脚部を垂設して、両脚部に板状の弾性部材を向き合う横方向に互い違いに張設して、案内孔部の下方に両弾性部材の先端を支持する受段部を設けたものとすれば、押しボタン頭部への押圧力は横方向の一部に偏ることなくバランス良く押しボタン本体全体に均等に加わるので押しボタン本体は傾くことなく真直ぐに押し下げられるので、脚部の先端に形成した押圧部は被操作部に的確に作用でき、また、押圧解除後の復帰もスムーズに行われるものである。
【発明を実施するための最良の形態】
【００１０】
次に、本発明のブレーカの押しボタン構造に係る実施形態について、ブレーカを手動操作によりトリップさせるためのトリップボタンにより図面を参照しながら説明する。
図１、２において、１は押しボタン本体、２は該押しボタン本体１を摺動自在に嵌合する案内孔部であり、該案内孔部２は保持体であるブレーカの上部ケース３にトリガレバー４の手動操作受部４ａが臨む位置に貫通して設けられている。
【００１１】
前記押しボタン本体１は、図３〜図６に示すように押しボタン頭部１１の端部に先端に押圧部１２ａを形成した脚部１２を垂設したうえ該脚部１２の内側に板状の弾性部材１３を水平に張設したものであり、熱可塑性樹脂により一体に成型したものである。この図示のものは、押しボタン頭部１１を四角形状としてその４辺の端部のうち対向する一対の辺の端部にそれぞれ脚部１２、１２を端部辺の半分の幅として互い違いに対向させて垂設して、両脚部の内側の上下中央部に板状の弾性部材１３を張設して両弾性部材１３、１３が横方向に互い違いに対向させている。なお、弾性部材１３、１３は板状で熱可塑性樹脂よりなるものであるから撓み性の弾性があることは当然である。
【００１２】
案内孔部２は、前記四角形状のボタン頭部１１が嵌合できる四角形状として、その孔部内面の下方に弾性部材１３の先端１３ａを支持する受段部２１を設けている。すなわち、四角形状の案内孔部２の前記互い違いに対向させて垂設した脚部１２、１２の内側の上下中央部に張設した弾性部材１３、１３が臨む辺側の下方に受段部２１、２１を連設している。また、各受段部２１、２１の先端に下向き傾斜面２１ａを続けて該傾斜面２１ａの下縁を抜止部２１ｂとして、対向することとなる脚部１２の押圧部１２ａの上部内側に設けた上向きの鉤部１２ｂを係止するように構成して、押しボタン本体１が案内孔部２から抜け出ることを防止している。
【００１３】
また、脚部１２、１２をそれぞれ端部辺の半分の幅として互い違いに対向させて、両脚部１２の対向する端面間に幅方向の間隙が形成したものとして、該間隙に介入する垂直案内板２２を前記案内孔部２の中央に張設している。
【００１４】
そして、このような構成においては、先ず、押しボタン本体１を図７に示すように保持体であるブレーカの上部ケース３に設けた案内孔部２の上部から差し込めば、該押しボタン本体１は押しボタン頭部１１の端部に垂設した脚部１２、１２の内側に張設した弾性部材１３、１３の先端１３ａが案内孔部２の内面の下方に設けた受段部２１に支持されるとともに、脚部１２の下端内側が前記傾斜面２１ａの下端上面により外側に撓まされて開き、脚部１２の下端の前記押圧部１２ａが傾斜面２１ａの下端縁に位置した後に撓みが解除されて押圧部１２ａの上部内側に設けた上向きの鉤部１２ｂが傾斜面２１ａの下縁の抜止部２１ｂに係止し、図１に示すように案内孔部２から抜け出ることなく押圧待機位置を維持するように簡単に摺動自在に取り付けできるものである。
【００１５】
このようにブレーカの上部ケース３にトリガレバー４の手動操作受部４ａが臨む位置に貫通して設けた案内孔部２に摺動自在に取り付けた押しボタン本体１を、押しボタン頭部１１を押圧すれば、図２に示すように先端１３ａを受段部２１に支持された弾性部材１３はその基端が脚部１２の押圧方向の移動に伴ない該基端を起点に押圧方向とは逆方向に撓んで該押しボタン本体１が弾性部材に抗して押し下げられて、押圧部１２ａが被操作部であるトリガレバー４の手動操作受部４ａに作用して、トリガレバー４がトリップ動作を行うものである。
【００１６】
その後、押しボタン頭部１の押圧を解除すれば弾性部材１３が旧状に復帰してこれに伴い押しボタン本体１も押圧前の押圧待機位置に復帰する。この場合に、抜止部２１ｂに脚部１２の押圧部１２ａの上部内側に設けた上向きの鉤部１２ｂを係止するので、弾性部材１３の復帰力が強くても押しボタン本体１が案内孔部２から抜け出ることのないものである。
【００１７】
なお、ボタン頭部１１を四角形状とし対向する一対の辺の端部に脚部１２、１２をそれぞれ端部辺の半分の幅として互い違いに対向させて垂設して、両脚部の内側の上下中央部に板状の弾性部材１３、１３を張設して両弾性部材１３、１３が横方向に互い違いに対向させた構成とし、また、案内孔部２を前記四角形状のボタン頭部１１が嵌合できる四角形状として、四角形状の案内孔部２の前記互い違いに対向させて垂設した脚部１２、１２の内側の上下中央部に張設した弾性部材１３、１３が臨む辺の下方に受段部２１、２１を連設したものとすれば、押しボタン頭部１１への押圧力は横方向の一部に偏ることなくバランス良く押しボタン本体１全体に均等に加わるので押しボタン本体１は傾くことなく真直ぐに押し下げられ、脚部１２の先端に形成した押圧部１２ａは被操作部に的確に作用できる。また、押圧解除後の復帰もスムーズに行われるものである。
【００１８】
また、脚部１２、１２をそれぞれ端部辺の半分の幅として互い違いに対向させて弾性部材１３を張設したものであるので、弾性部材１３の先端１３ａを案内孔部２の辺まで達する長さにでき、弾性を充分に確保できるものである。
【００１９】
さらに、押しボタン本体１を、図８に示すように四角形状とした押しボタン頭部１１の端部の１辺の端部のみに脚部１２を垂設して、該脚部１２の内側に板状の弾性部材１３を水平に張設したものとしてもよい。また、図９に示すように四角形状とした押しボタン頭部１１の端部の対向する２辺の端部にそれぞれ脚部１２、１２を対向させて垂設し、弾性部材１３、１３は幅を脚部１２の半分以下として横方向に互い違いに対向させて水平に張設したものでもよい。この場合弾性部材１３の先端１３ａは対向する脚部１２の内面に臨むこととなるので、押しボタン本体１を摺動自在に取り付ける案内孔部２に設ける受段部２１は図示を略したが弾性部材１３の外側の横端面が臨む案内孔部２の辺側の下方から設けることとなる。
【００２０】
また、押しボタン本体１は、図示したものは全て弾性部材１３を押しボタン頭部１１の外周以内に納まる形状としているので、弾性部材１３はボタン頭部１１に隠れるので、別部材をもって隠さなくても良いので部品点数を少なくできるうえ外観上も体裁のよいものとなる。
【００２１】
なお、前記した実施形態はブレーカを手動操作によりトリップさせるためのトリップボタンにより説明したが、この他に漏電テストボタン等に使用してもよいことは勿論である。
【図面の簡単な説明】
【００２２】
【図１】実施形態を示す斜視図。
【図２】実施形態を態様を異にして示す斜視図。
【図３】実施形態に使用する押しボタン本体を上側から示す斜視図。
【図４】実施形態に使用する押しボタン本体を他の角度上側から示す斜視図。
【図５】実施形態に使用する押しボタン本体を下側から示す斜視図。
【図６】実施形態に使用する押しボタン本体の側面図。
【図７】押しボタン本体を案内孔部に取り付ける工程を示す斜視図。
【図８】押しボタン本体の他例を示す斜視図。
【図９】押しボタン本体の異なる他例を示す斜視図。
【図１０】本発明を使用したブレーカの全体を示す一部切欠斜視図。
【符号の説明】
【００２３】
１  押しボタン本体
11  押しボタン頭部
12  脚部
12a  押圧部
13  弾性部材
13a  弾性部材の先端
２  案内孔部
21  受段部
【図１】
2006236606.tif 000003
【図２】
2006236606.tif 000004
【図３】
2006236606.tif 000005
【図４】
2006236606.tif 000006
【図５】
2006236606.tif 000007
【図６】
2006236606.tif 000008
【図７】
2006236606.tif 000009
【図８】
2006236606.tif 000010
【図９】
2006236606.tif 000011
【図１０】
2006236606.tif 000012